(57)【要約】【課題】閉じる際に消臭剤をスプレーすることができ、ゴミ箱の蓋を閉じる動作を緩衝することが可能なゴミ箱を提供する。【解決手段】本体１１、上蓋２１及び消臭手段４１を備える。本体１１の頂部に開口１３を形成し、上蓋２１は本体頂部に接続されて開口１３の開閉を行う。消臭手段４１は本体上に設けられている。消臭手段４１は容器４２とノズル４３を有する。ノズル４３には作動部材４４が取り付けられている。作動部材４４は、弾性体に当接することによって弾性回復を生じる。これにより、上蓋２１が開口１３を閉じると、作動部材４４が上蓋２１に押されて弾性体を圧縮し、ノズル４３が容器４２内の消臭剤が本体１１内にスプレーされる。また、上蓋２１が開口１３を閉じる際に作動部材４４が弾性体を圧縮することによって、上蓋２１を閉じる動作が緩衝される。【選択図】  図１
0003159649.tif 000002
【実用新案登録請求の範囲】
【請求項１】
内部に収納スペースを有し、頂部に前記収納スペースに通じる開口が形成されている本体と、
前記本体の頂部に接続される枢設部を有し、前記本体開口の開閉を行い、内部に押圧部材が取付けられている上蓋と、
前記本体に設けられ、消臭剤を充填した容器、前記容器の上に取付けたノズル、及び前記ノズルに取り付けられその作動を制御する作動部材を有する消臭手段と、
を備え、
前記作動部材は弾性体に当接することによって弾性回復を生じ、
前記上蓋が前本体の開口を閉じると、前記作動部材は前記押圧部材に押圧されて前記弾性体を圧縮し、前記ノズルが容器内の消臭剤を汲み上げて前記本体の収納スペース内にスプレーし、
前記上蓋が前記本体の開口を閉じる際に、前記作動部材が前記弾性体を圧縮することによって、前記上蓋を閉じる動作を緩衝することを特徴とするゴミ箱。
【請求項２】
前記ノズルはスタートボタンを有し、
前記弾性体は前記スタートボタンに当接するためのものであり、
前記作動部材の一端は当接部を形成し、他端は作動部を形成し、
前記当接部と前記作動部との間に別途枢接部が形成され、
前記作動部は枢接部によって前記ノズルに接続され、
前記作動部材の作動部が前記ノズルのスタートボタンと当接し、前記上蓋が前記本体の開口を閉じると、前記作動部材の当接部が前記押圧部材に押圧されて、前記作動部材の作動部が前記スタートボタンを押圧して前記弾性体を圧縮することを特徴とする請求項１に記載のゴミ箱。
【請求項３】
前記押圧部材は前記上蓋内に取付けられたケーシング管と前記ケーシング管内に穿設された押圧バーとを有し、
前記ケーシング管には長溝領域と短溝領域とが形成され、
前記押圧バーは、前記上蓋の外部方向に延びた一端に押圧端が形成されており、他端は当接端と定義づけられ、凸部を有し、
前記凸部は、前記ケーシング管の長溝領域と短溝領域を選択して穿設可能であり、
前記押圧バーの凸部が前記ケーシング管の短溝領域を選択して穿設されると、前記押圧バーの当接端は、前記上蓋が前記本体の開口を閉じる際、同時に前記作動部材を押圧して前記ノズルが前記容器内の消臭剤を汲み上げて前記本体の収納スペース内にスプレーし、
前記押圧バーの凸部が前記ケーシング管の長溝領域を選択して穿設されると、前記押圧バーの当接端は、前記上蓋が前記本体の開口を閉じた後、手動で前記押圧バーの押圧端を押圧して前記作動部材を押圧して、前記ノズルが前記容器内の消臭剤を汲み上げて前記本体の収納スペース内にスプレーすることを特徴とする請求項１に記載のゴミ箱。
【請求項４】
前記ケーシング管の長溝領域と短溝領域は概ねＬ字型溝に形成されることを特徴とする請求項３に記載のゴミ箱。
【請求項５】
前記本体の外側にはさらにフレームが設けられ、前記消臭手段は前記本体の外側のフレームに組立てられることを特徴とする請求項１に記載のゴミ箱。
【請求項６】
前記上蓋の内縁にさらに外部スペースに通じる貫通孔が設けられ、前記ノズルの噴射口にはチューブが取付けられ、前記チューブの他端は外部スペースから前記上蓋の貫通孔を貫通して前記上蓋の内縁の底部に取り付けられていることを特徴とする請求項１に記載のゴミ箱。
【考案の詳細な説明】
【技術分野】
【０００１】
本考案はゴミ箱に関する。
【背景技術】
【０００２】
ゴミ箱は人々の日常生活における必需品である。従来のゴミ箱はゴミを一定時間置き放しにすると、ゴミ箱を開けるたびにその中の臭いが発散され、こうした状況は環境に影響するだけでなく、さらに健康を害する虞もあった。
【０００３】
これに鑑みて、上記の欠点を改善するのが本考案の主要な課題であり、本考案人は鋭意検討を重ねた結果、合理的設計で上記の課題を効果的に改善する本考案の提案に到った。
【考案の概要】
【考案が解決しようとする課題】
【０００４】
本考案の目的は、閉じる際に消臭剤をスプレーすることができ、消臭剤をスプレーすると共に、ゴミ箱の蓋を閉じる動作を緩衝することが可能なゴミ箱を提供することにある。
本考案のもう一つの目的は、自動又は手動で消臭を行うことが可能なゴミ箱を提供することにある。
本考案のさらにもう一つの目的は、ゴミ箱内のゴミの確実な消臭が可能なゴミ箱を提供することにある。
【課題を解決するための手段】
【０００５】
上記の目的を達するために本考案は、内部に収納スペースを有し、その頂部に収納スペースに通じる開口を形成する本体と、本体の頂部の適切な位置に枢接される枢設部を有して本体開口の開閉を行い、内部に押圧部材を取付けた上蓋と、本体に組立てられ、消臭剤を充填した容器、容器の上に取付けたノズル、及びノズルに取り付けられその作動を制御する作動部材を有する消臭手段を備える。作動部材は弾性体に当接することよって弾性回復を生じる。上蓋が本体の開口を閉じると、作動部材は押圧部材に押圧されて弾性体を圧縮してノズルが容器内の消臭剤を汲み上げて、消臭剤が本体の収納スペース内にスプレーされる。また、上蓋が本体の開口を閉じる際に、作動部材が弾性体を圧縮することによって、上蓋を閉じる動作が緩衝される。
【０００６】
さらにまた、押圧部材は上蓋内に取付けられたケーシング管とケーシング管内に穿設された押圧バーとを有する。ケーシング管には長溝領域と短溝領域とが形成されている。押圧バーは、上蓋の外部方向に延びた一端に押圧端が形成されており、他端は当接端と定義づける。押圧バーは凸部を有し、凸部はケーシング管の長溝領域と短溝領域内を選択して穿設可能である。
【０００７】
押圧バーの凸部がケーシング管の短溝領域を選択して穿設されると、押圧バーの当接端は、上蓋が本体の開口を閉じる際、同時に作動部材を押圧してノズルが容器内の消臭剤を汲み上げて本体の収納スペース内にスプレーする。押圧バーの凸部がケーシング管の長溝領域を選択して穿設されると、上蓋が本体の開口を閉じた後、手動で押圧バーの押圧端を押圧して作動部材を押圧して、ノズルが容器内の消臭剤を汲み上げて本体の収納スペース内にスプレーする。
本考案のゴミ箱によると、特に自動又は手動で消臭を行うことができ、蓋を閉じる動作を緩衝することができる。
【図面の簡単な説明】
【０００８】
【図１】本考案の一実施形態を模式的に示す分解斜視図。
【図２】本考案の一実施形態を示す模式図。
【図３】本考案の一実施形態において、押圧部材の凸部がケーシング管の短溝領域に穿設されたときの状態を示す模式図。
【図４】本考案の一実施形態において、押圧部材の凸部がケーシング管の短溝領域に穿設されて上蓋を閉じる際の状態を示す模式図。
【図５】本考案の一実施形態において、押圧部材の凸部がケーシング管の長溝領域に穿設されて上蓋を閉じる際の状態を示す模式図。
【図６】本考案の一実施形態において、手動で押圧部材の押圧バーを押圧したときの状態を示す模式図。
【考案を実施するための形態】
【０００９】
以下、本考案の一実施形態を図面に基づいて説明する。図１及び図２に示すように、本考案のゴミ箱は、本体１１、上蓋２１、押圧部材３１及び消臭構造をもつ消臭手段４１を備える。
本体１１は中空状でその内部にはゴミが入れられる収納スペース１２を有し、本体１１の頂部は収納スペース１２に通じる開口１３を形成し、本体１１の頂部の外側には枢接台座１４を有する。
【００１０】
上蓋２１の外周縁の一側には枢設部２２を有する。上蓋２１は枢設部２２で本体１１頂部に設けられている枢接台座１４に対応し、本体１１の開口１３を開閉することができる。本実施形態では本体１１の底部にペダル１５が設けられている。ペダル１５は連接棒セット（図示せず）で上蓋２１と接し、ペダル１５を踏むことで上蓋２１を開閉することができる（上記の伝動方法は従来技術で本願のポイントでないので、細部の構造や作動原理はここではこれ以上詳述しない）。
【００１１】
また、上蓋２１内に押圧部材３１が設けられている。押圧部材３１は、縦方向に沿って上蓋２１内に延びて設けられたケーシング管３２とケーシング管３２内に穿設された押圧バー３３とで構成されている。ケーシング管３２の下端の縁は概ねＬ字型とし、長溝領域３２１と短溝領域３２２の溝形態を有している。上蓋２１の内縁にはさらに外部スペースと通じる貫通孔２３を設ける。
【００１２】
押圧バー３３は、上向きに上蓋２１の外部方向に延びた一端に押圧端３３１が形成されている。押圧バー３３の下向きの他端は当接端３３２と定義づける。押圧バー３３はさらに凸部３３３を有し、凸部３３３はケーシング管３２の長溝領域３２１又は短溝領域３２２内を選択して穿設することができる。
【００１３】
消臭手段４１は、本体１１の外側のフレーム１６上に組立てられている。消臭手段４１は消臭剤を充填した容器４２と容器４２に取付けたノズル４３とを有する。ノズル４３にはノズル４３が作動するタイミングの制御が可能な作動部材４４が取り付けられている。本実施形態では、ノズル４３はスタートボタン４３１を有し、スタートボタン４３１は弾性体４３２に当接されて弾性回復を有する。作動部材４４の一端には当接部４４１が形成され、他端にはスタートボタン４３１方向に作動部４４２が湾曲して形成されている。
【００１４】
当接部４４１と作動部４４２との間には別途枢接部４４３が形成されている。作動部材４４は枢接部４４３でノズル４３に枢接される。作動部材４４の作動部４４２はノズル４３のスタートボタン４３１と互いに当接して、作動部材４４は間接的に弾性体４３２の作用を受けて同様に弾性回復を有し、上蓋２１が本体１１の開口３１を閉じると、作動部材４４の当接部４４１が押圧バー３３の当接端３３２と相互に当接する。またノズル４３の噴射口にはチューブ４５が取り付けられ、チューブ４５の他端は外部スペースから上蓋２１の貫通孔２３を貫通して上蓋２１の内縁の底部に取付けられる。
【００１５】
上記のように構成された本実施形態のゴミ箱が実際に使用される際、図３に示すように、使用者は押圧部材３１の押圧バー３３を回動させる。これによって、押圧バー３３の凸部３３３がケーシング管３２の短溝領域３２２内に穿設されて係止され、このとき押圧バー３３の当接端３３２はケーシング管３２の底部から突出する。
続いて上蓋２１が本体１１の開口１３を閉じると、図４に示すように、押圧バー３３の当接端３３２は弾みで作動部材４４の当接部４４１に当接し、作動部材４４の他端の作動部４４２が枢動してノズル４３のスタートボタン４３１を押下して、ノズル４３が容器４２内にある消臭剤を汲み上げ、チューブ４５を通して本体１１の収納スペース１２にスプレーさせる。
【００１６】
これにより、上蓋２１が本体１１の開口１３を閉じると共に、消臭剤を自動的にスプレーして消臭や除菌効果を果たす（ノズルが消臭剤を汲み上げる方法は従来技術であるので、ここではこれ以上その作動原理を詳述しない）。
また、上蓋２１が本体１１の開口１３を閉じる際、弾性体４３２を圧縮することで弾性の緩衝作用を生じ、上蓋２１が本体１１を閉じる際に生じる衝撃力を効果的に緩和させることができる。
【００１７】
図５に示すように、使用者は押圧バー３３を回動させ、押圧バー３３の凸部３３３をケーシング管３２の長溝領域３２１内に穿設し、上蓋２１が本体１１の開口１３を閉じると、押圧バー３３が作動部材４４の当接部４４１に当接されてケーシング管３２の長溝領域に沿って滑動するため、ノズル４３を起動して消臭剤をスプレーすることがない。しかし、上蓋２１が本体１１の開口１３を閉じると、図６に示すように、使用者は手動で押圧部材３１の押圧バー３３を押圧して、作動部材４４の他端の作動部４４２がノズル４３のスタートボタン４３１を押下して、ノズル４３が容器４２内にある消臭剤を汲み上げて、チューブ４５を通して本体１１の収納スペース１２にスプレーすることができる。この様にして手動で消臭剤をスプレーすることができる。
【００１８】
上記のように構成された本実施形態のゴミ箱には以下の長所がある。
１．本実施形態のゴミ箱は、上蓋２１が本体１１の開口１３を閉じると消臭剤をスプレーすることができる。しかも、上蓋２１が本体１１の開口１３を閉じる際に弾性体４３２を圧縮することで、本実施形態のゴミ箱は、消臭剤をスプレーすると共に、上蓋２１を閉じる動作を緩衝する効果が奏される。
【００１９】
２．本実施形態のゴミ箱は、押圧バー３３の凸部３３３がケーシング管３２の長溝領域３２１又は短溝領域３２２内に選択して穿設することができるため、使用者のニーズや使用習慣の相違に応じて自動又は手動による消臭システムを自由に切り換えることができる。
【００２０】
３．本実施形態のゴミ箱は、上蓋２１が本体１１の開口１３を閉じると消臭剤をスプレーするため、消臭剤を確実に本体１１の収納スペース１２内にスプレーして外部に漏らすことがなく、確実に収納スペース１２内のゴミを消臭することができ、消臭や除菌効果を効果的に達成することができる。
【００２１】
４．本実施形態のゴミ箱の構造は簡単なため、製造コストが低廉で組み立てが迅速且つ便利であるという長所を有する。本実施形態のゴミ箱は、消臭手段４１が本体１１の外側のフレーム１６上に組立てられることから、本体１１のゴミ収容量が減少しないという利点を有する。
【符号の説明】
【００２２】
１１：本体、１２：収納スペース、１３：開口、１４：枢設台座、１５：ペダル、１６：フレーム、２１：上蓋、２２：枢設部、２３：貫通孔、３１：押圧部材、３２：ケーシング管、３２１：長溝領域、３２２：短溝領域、３３：押圧バー、３３１：押圧端、３３２：当接端、３３３：凸部、４１：消臭手段、４２：容器、４３：ノズル、４３１：スタートボタン、４３２：弾性体、４４：作動部材、４４１：当接部、４４２：作動部、
４４３：枢接部、４５：チューブ
【図１】
0003159649.tif 000003
【図２】
0003159649.tif 000004
【図３】
0003159649.tif 000005
【図４】
0003159649.tif 000006
【図５】
0003159649.tif 000007
【図６】
0003159649.tif 000008